Podtech/llm-jp-corpus-v4-ja_patent huggingface dataset:
(57)【要約】【課題】本製品は、従来製品の欠点である・バンパーの衝撃がほぼそのまま本体に伝わる・運転技術の低い初心者などには、車体感覚がつかめず、特に本体左右角が死角となり、本体を衝突してしまう等運転を困難にする要素があった・軽四自動車など、ボンネットが短いタイプでは前面が見やすくなる分、逆に、衝突時の衝撃が直接運転者に伝わりやすい等を解決する「伸縮性耐衝撃バンパー」を提供する【解決手段】・車やバイク、自転車などの乗り物の本体に、車間維持、衝撃吸収・分散による本体保護、狭隘通路走行や、方向転換、車庫入れなどの際に伸縮・収納（運転者の操作、センサーによる自動起動により作動する）可能とすることにより視認性、操作性向上を助ける、伸縮性耐衝撃バンパーを備える・伸縮性耐衝撃バンパーに各種センサーなどを装備し、距離、位置など走行に必要な環境に関する情報を取得、伝達し、運転者の判断を支援する【特許請求の範囲】
【請求項１】
車やバイク、自転車などの乗り物の本体の周囲に備え付け、車間維持、衝撃吸収・分散による本体保護、伸縮・収納（運転者の操作、センサーによる自動起動により作動する）などにより狭隘通路走行や、方向転換、車庫入れなどの際の視認性、操作性の向上を助ける、伸縮性耐衝撃バンパー
【請求項２】
距離、位置など走行に必要な環境に関する情報を取得、伝達するための各種センサーなどを装備したバンパー
【発明の詳細な説明】
【技術分野】
【０００１】本発明は、
・車やバイク、自転車などの乗り物の本体の周囲に備え付け、車間維持、衝撃吸収・分散による本体保護、伸縮・収納（運転者の操作、センサーによる自動起動により作動する）などにより狭隘通路走行や、方向転換、車庫入れなどの際の視認性、操作性の向上を助ける
・各種センサーなどを装備し、距離、位置など走行に必要な環境に関する情報を取得、伝達し、運転者の判断を支援する
など、伸縮性耐衝撃バンパー、各種車両、移動体の安全装置に関するものである。
【背景技術】
【０００２】従来は、車であれば車体前後の本体固定タイプのバンパー、自転車であれば車輪を保護するカバーなどであった
【発明の概要】
【発明が解決しようとする課題】
【０００３】従来の製品には次の様な欠点があった
・バンパーの衝撃がほぼそのまま本体に伝わる
・運転技術の低い初心者などには、車体感覚がつかめず、特に、本体左右角が死角となり、本体を衝突してしまうなど、運転を困難にする要素があった
・軽四自動車など、ボンネットが短いタイプでは、前面が見やすくなる分、逆に、衝突時の衝撃が直接運転者に伝わりやすくなる
等の困難性があった
【課題を解決するための手段】
【０００３】・車やバイク、自転車などの乗り物の本体に、車間維持、衝撃吸収・分散による本体保護、狭隘通路走行や、方向転換、車庫入れなどの際に伸縮・収納（運転者の操作、センサーによる自動起動により作動する）可能とすることにより視認性、操作性の向上を助ける、伸縮性耐衝撃バンパーを備え付ける
・伸縮性耐衝撃バンパーには、各種センサーなどを装備し、距離、位置など走行に必要な環境に関する情報を取得、伝達する
【発明の効果】
【０００４】・車間維持しつつ、衝撃吸収・分散による本体保護、狭隘通路走行や、方向転換、車庫入れなどの際に伸縮・収納可能とすることにより視認性、操作性の向上を助ける
・伸縮性耐衝撃バンパーに装備された各種センサーが、距離、位置など走行に必要な環境に関する情報を取得し、運転者の判断を支援する
【発明を実施するための形態】
【０００５】・車やバイク、自転車などの乗り物の本体の周囲に、伸縮性（運転者の操作、センサーによる自動起動により作動する）耐衝撃バンパー
(57)【要約】      （修正有）【課題】二次電池の充電を簡単にする為に、現在の端子電圧をインジケ−タ−で表示する事と設定電圧で充電が終了すると自動的に電源トランスの一次側の電流を遮断（設定電圧による電流遮断）し、設定電流を越えても二次電池の端子電流を遮断する様にして二次電池を保護する。【解決手段】二次電池の充電を簡単にする為に、現在の端子電圧をＬＥＤのインジケ−タ−で表示すると共に、設定電圧まで端子電圧が上がると色の違うＬＥＤが点灯し、自動的に電源トランスの一次側の電流を遮断する回路が作動して充電を終了させる。端子電流が設定電流を越えても二次電池出力側の電流ブ−スタ−回路の電流遮断回路が作動し、電池の端子電流を遮断して二次電池を保護する。電流遮断からの復帰は手動とする。【選択図】図１
2016101082.tif 000002
【特許請求の範囲】
【請求項１】
二次電池用の充電器回路
【発明の詳細な説明】
【技術分野】
【０００１】  この発明は二次電池用の充電器に関する。
【発明の概要】
【０００２】  この発明は、二次電池の充電を簡単にする為に、現在の端子電圧をインジケ−タ−で表示すると共に、充電が終了すると自動的に電源トランスの一次側の電流を遮断すると同時に二次電池出力側の通電を監視するＬＥＤが消灯して充電が終了した事が判り、また、設定電流を越えても二次電池の端子電流が遮断して二次電池を保護する。操作としては、電源にプラグを挿すのみとしている。電流遮断からの復帰は手動である。
【背景技術】
【０００３】  今までの二次電池の充電器は一定電流で一定時間充電する為、決められた時間が来ると電源のコンセントからプラグを抜いたり、電流を切らねばならなかった。また、トリクル充電でも二次電池の端子電圧を監視して、設定電圧になると電流を遮断して充電を終了する様になっている。
【発明の開示】
【発明が解決しようとする課題】
【０００４】  二次電池を一定電流で充電し、設定電圧で電源トランスの一次側の電流を遮断して充電を終了させる事と（設定電圧による電流遮断）、設定電流を越えても二次電池の端子電流を遮断する様にして二次電池を保護する（設定電流による電流遮断）。操作としては、電源コンセントにプラグを挿すのみとする。電流遮断からの復帰は手動としている。
【課題を解決するための手段】
【０００５】  この為、この発明においては、二次電池の充電を簡単にする為に、現在の端子電圧をＬＥＤのインジケ−タ−で表示すると共に、設定電圧まで端子電圧が上がると色の違うＬＥＤが点灯し、設定電圧監視用のＥｘ−ＯＲの出力がハイレベルとなり、自動的に電源トランスの一次側の電流を遮断する回路が作動して充電を終了させる。二次電池の端子電流が設定電流を越えても二次電池出力側の電流ブ−スタ−回路の電流遮断回路が作動し、端子電流を遮断して二次電池を保護し、通電監視用のＬＥＤが消灯して二次電池への通電が遮断した事が判る。また、端子電圧表示回路の入力部には入力電圧を電源電圧以下にする為の端子電圧分圧抵抗と入力保護用のダイオ−ド、電源トランスの一次側の電流遮断回路には簡単なサ−ジアブソ−バ−と電源トランス保護用にヒュ−ズが入っている。電流遮断からの復帰は手動とする。
【発明の効果】
【０００６】  この発明は、二次電池の充電の操作を「電源にプラグを挿すのみ」と簡単にすると共に、端子電圧をインジケ−タ−で目で確認する事ができて、今現在の二次電池の電圧も確認する事ができる。充電が終了すると自動的に電源トランスの一次側の電流を遮断して余計な消費電流も減らす事が出来て、二次電池出力側の通電状態も確認する事ができる。また、過電流遮断回路の為に二次電池を保護する事もできる。端子電圧入力部には、電圧分圧抵抗、入力保護用のダイオ−ド、電流ブ−スタ−回路からの出力には逆接続の保護の為のダイオ−ド、電源トランスの一次側の電流遮断回路には簡単なサ−ジアブソ−バ−と電源トランス保護用にヒュ−ズが入っていて、外部からの過電圧・過電流から回路が保護されている。電流遮断からの復帰は手動だが、充電が終了して二次電池を交換する毎にしっかりと充電できたかを確認する事が出来る。
【図面の簡単な説明】
【０００７】
【図１】が本発明の、二次電池の端子電圧表示回路と電源トランスの一次側への電流遮断回路への出力回路である。この回路図は、入力部に入力電圧が電源電圧を越えないように電圧分圧抵抗と入力保護用にダイオ−ドが入っている。また、端子電圧表示用のＬＥＤを点灯する為にＣ−ＭＯＳのバッファ−を使い、設定電圧調整用に半固定抵抗が入っている。設定電圧表示位置のＬＥＤは、端子電圧が設定電圧まで上がった事が判る様に色を変えてある。電源トランスの一次側の電流遮断回路への出力はＣ−ＭＯＳのＥｘ−ＯＲを使用している。
【図２】が本発明の、電源トランスの一次側の電流遮断回路と二次電池側への整流・平滑回路、定電圧・電流ブ−スタ−回路である。この回路図は、電源トランスの一次側の電流制御用にパワ−ＭＯＳ−ＦＥＴを反並列に２個使用し、パワ−ＭＯＳ−ＦＥＴのゲ−ト電圧制御の為の電流遮断用に発振しにくい様に直流電流制御用のサイリスタを使用している。パワ−ＭＯＳ−ＦＥＴには簡単なサ−ジアブソバ−が並列に入っており、過電圧からパワ−ＭＯＳ−ＦＥＴを保護している。また、電源トランス保護用にヒュ−ズとノイズキャンセル用にラインフィルタ−とコンデンサ−が電源プラグ近くと電源トランス端子に入れてある。電流遮断からの復帰用の押しボタンには、チャッタリング・キャンセル用のコンデンサ−も入れてある。整流・平滑回路には、全波整流のシリコンブリッジど電圧降下を小さくする為にコイルを使ったπ型平滑回路を使用し、コンデンサ−は高周波成分と低周波成分の平滑用にセラミックコンデンサ−と電解コンデンサ−を並列に使用し、電解コンデンサ−の容量は電流遮断後も少しの間ＬＥＤが点灯している様に少し大きめにしてある。定電圧・電流ブ−スタ−回路には３端子レギュレ−タ−とパワ−ＭＯＳ−ＦＥＴを使い、二次電池の保護の為の過電流防止用にも電流遮断回路が入っており、電流の設定用に半固定抵抗が入っている。パワ−ＭＯＳ−ＦＥＴのゲ−ト電圧をＬＥＤで監視する事で二次電池への通電状態を確認できる。さらに、出力側の二次電池の逆接続からの回路の保護用にダイオ−ドと、このダイオ−ドの電流制限用の抵抗も入れてある。
【図１】
2016101082.tif 000003
【図２】
2016101082.tif 000004
(57)【要約】【課題】現状、人の多く集まるライブ会場では、携帯端末でのデータ通信を満足に行えない場合が多く、イベント運営やステージ登壇者の意思によって、ステージに合わせてイベント来場者の携帯端末画面の色と点滅パターンの切り替えをリアルタイムに行うことができなかった。【解決手段】受信した音声ビーコンおよびｂｌｕｅｔｏｏｔｈに応じて、イベント来場者の持つ携帯端末の画面の色と点滅パターンを変える。【選択図】図１
2016134162.tif 000002
【特許請求の範囲】
【請求項１】
管理者の入力した色と点滅パターンの情報をｂｌｕｅｔｏｏｔｈおよび音声ビーコンとして発する複数の発信装置と、
各発信装置からの電波を受信可能な位置に設置された管理装置と、
各発信装置および各管理装置からの電波を受信可能な携帯端末用アプリケーションと、
を備え、
前記管理装置は、受信した電波のうち、発信時刻が最新のものに対応したｂｌｕｅｔｏｏｔｈおよび音声ビーコンを順次発する手段、
を備え、
前携帯端末用アプリケーションは、発信装置および管理装置から発信されたｂｌｕｅｔｏｏｔｈおよび音声ビーコンを受信し、
今まで受信した電波のなかで発信時刻が最新のものであった場合のみに、
受信した電波に対応するパターンで携帯端末の画面を光らせる手段と、
今まで受信した電波のなかで発信時刻が最新のものであった場合のみに、
全く同様のｂｌｕｅｔｏｏｔｈおよび音声ビーコンを順次自ら発する手段と、
を備えることを特徴とするサイリウムシステム。
【請求項２】
請求項１に記載のサイリウムシステムにおいて、各発信装置および各管理装置には予め識別番号が付与されており、
前携帯端末用アプリケーションは、いずれかの各発信装置および各管理装置からのｂｌｕｅｔｏｏｔｈおよび音声ビーコンを受信し、指定されたものと前記識別番号とが一致した場合に、当該が自装置に対するｂｌｕｅｔｏｏｔｈおよび音声ビーコンであると認識することを特徴とするサイリウムシステム。
【発明の詳細な説明】
【技術分野】
【０００１】  この発明は、個々の携帯端末のマイクがもつ周波数特性の相違を考慮し、雑音の影響無く、受信した音声ビーコンとｂｌｕｅｔｏｏｔｈ情報に応じて携帯端末画面の色と点滅パターンの切り替えを実現するシステムを提供する。
【背景技術】
【０００２】  従来のサイリウムは、イベント来場者がライブのために個別に購入した光源や、イベント運営から配布された既に定められた一定のパターンに光る光源であり、イベント運営やステージ登壇者の意思によって、ステージに合わせて色と点滅パターンの切り替えをリアルタイムに行うことができないものである。
【発明の概要】
【発明が解決しようとする課題】
【０００５】現状、人の多く集まるライブ会場ではモバイルデータ通信が混み合っており携帯端末でのデータ通信を満足に行えない場合が多く、イベント運営やステージ登壇者の意思によって、ステージに合わせてイベント来場者の携帯端末画面の色と点滅パターンの切り替えをリアルタイムに行うことができなかった。
この発明は、３Ｇ，４Ｇ，ＬＴＥ回線が込み合った状況でも機能する、ステージと連携した携帯端末画面の色と点滅パターンの切り替えによるサイリウムを提供する。
【課題を解決するための手段】
【０００６】  以上の課題を解決するために、
第一発明は、管理者の入力した色と点滅パターンの情報をｂｌｕｅｔｏｏｔｈおよび音声ビーコンとして発する複数の発信装置と、
各発信装置からの電波を受信可能な位置に設置された管理装置と、
各発信装置および各管理装置からの電波を受信可能な携帯端末用アプリケーションと、
を備え、
前記管理装置は、受信した電波のうち、発信時刻が最新のものに対応したｂｌｕｅｔｏｏｔｈおよび音声ビーコンを順次発する手段、
を備え、
前携帯端末用アプリケーションは、発信装置および管理装置から発信されたｂｌｕｅｔｏｏｔｈおよび音声ビーコンを受信し、
今まで受信した電波のなかで発信時刻が最新のものであった場合のみに、
受信した電波に対応するパターンで携帯端末の画面を光らせる手段と、
今まで受信した電波のなかで発信時刻が最新のものであった場合のみに、
全く同様のｂｌｕｅｔｏｏｔｈおよび音声ビーコンを順次自ら発する手段と、
を備えることを特徴とする。
第二発明は、請求項１に記載のサイリウムシステムにおいて、各発信装置および各管理装置には予め識別番号が付与されており、
前携帯端末用アプリケーションは、いずれかの各発信装置および各管理装置からのｂｌｕｅｔｏｏｔｈおよび音声ビーコンを受信し、アプリケーション内であらかじめ指定されたものと前記識別番号とが一致した場合に、当該が自装置に対するｂｌｕｅｔｏｏｔｈおよび音声ビーコンであると認識することを特徴とする。
【発明の効果】
【０００７】  第一発明、第二発明によれば、
モバイルデータ通信の混み合っている状況下でも、
イベント来場者の端末は、受信したｂｌｕｅｔｏｏｔｈおよび音声ビーコンのうち、発信時刻が最新のものであった場合のみに、全く同様のｂｌｕｅｔｏｏｔｈおよび音声ビーコンを順次自ら発する。
したがって、携帯端末同士のバケツリレー形式によって、イベント運営やステージ登壇者の意思に従って、光が順次伝わり移り変わっていくサイリウムを実現することが可能である。
【図面の簡単な説明】
【０００８】
【図１】この発明の一実施形態を示す処理シーケンス図である。
【発明を実施するための形態】
【０００９】  この発明の一実施形態を、図１に示す。
図１は、発信装置１と管理装置１，２と携帯端末用アプリケーション１，２からなるサイリウムシステムの処理シーケンス図である。図において、横軸は時間（ｔ）であり、発信装置１に対応した波形がハイレベルになっている期間は、発信装置１が電波を発している期間である。ｂｌｕｅｔｏｏｔｈによる電波発信期間をＢＴ、音声ビーコンによる電波発信期間をＢＣと表している。
また、管理装置１，２に対応した波形がハイレベルになっている期間は、管理装置１，２が電波を発している期間である。
また、携帯端末用アプリケーション１，２に対応した波形がハイレベルになっている期間は、各携帯端末用アプリケーション１，２が電波を発している期間である。また、携帯端末用アプリケーション１，２に対応した波形の下部に、ｂｌｕｅｔｏｏｔｈおよび音声ビーコンから伸びた矢印の先にＬＴと記してある部分は、受信したｂｌｕｅｔｏｏｔｈおよび音声ビーコンに対応する発光パターンでの画面発光期間を表している。
【産業上の利用可能性】
【０００＊】
【符号の説明】
【００１０】ＢＴ  ｂｌｕｅｔｏｏｔｈ        ＢＣ  音声ビーコン
ＬＴ  携帯端末の画面発光
【図１】
2016134162.tif 000003
(57)【要約】      （修正有）【課題】平坦なタッチパネルの画面に描画された仮想ボタンの位置を、手触りで確認する。【解決手段】タッチパネル２１を操作補助プレート１１で覆い、操作補助プレート１１の操作部に穴１２を開ける。絶縁性の高い材質で操作補助プレート１１を作成するか、そうでない場合は操作補助プレート１１のタッチパネル２１側に突起を出すことで操作補助プレート１１とタッチパネル２１の接地面積を減らす。【選択図】図１
2016134165.tif 000002
【特許請求の範囲】
【請求項１】
タッチパネルに描画された仮想ボタンの位置と大きさを手触りで確認できるように、タッチパネルの画面に重ねて使用する補助プレート。
【発明の詳細な説明】
【技術分野】
【０００１】  本発明は、タッチパネルの操作に関する。
【背景技術】
【０００２】  タッチパネル機器では画面内に操作する場所を仮想的に作成する。
【発明の概要】
【発明が解決しようとする課題】
【０００３】  通常、タッチパネルの画面は平坦であり、操作するための位置は、目視により確認する必要がある。
【課題を解決するための手段】
【０００４】  タッチパネル２２の画面上に、タッチパネルに描画された操作部に合わせるように穴１２を開けた操作補助プレート１１を置く。【０００６】  静電容量方式タッチパネル２２の場合は、操作補助プレートを通してタッチパネルが感応するため、操作補助プレート１１に突起１３を付加することにより、タッチパネルとの接地面を減らす。（図３）【０００７】  操作者が操作補助プレート１１を指で撫で、穴１２の段差よりタッチパネルに描画されたボタンの位置を知ることができる。そしてその穴からタッチパネルに触れることで、タッチパネルを的確に操作することができる。
【発明の効果】
【０００８】  この発明により、タッチパネルの操作部分と、操作部以外の部分を手触りで判断できることが可能になる。
【図面の簡単な説明】
【０００９】
【図１】  本発明の実施形態を示すタッチパネル操作補助プレートの外観図
【図２】  同プレートの図１におけるＡ−Ａ線断面図
【図３】  静電容量方式タッチパネルにおいて使用する同プレートのＡ−Ａ断面図
【実施例】
【００１０】  タブレットＰＣのゲームソフトウェアにおいて、仮想ゲームパッドのボタンの位置を、指の位置を目視せずに判断する。【００１１】  タブレットＰＣで操作する無線操縦装置において、仮想操作盤のボタンの位置を、指の位置を目視せずに判断する。
【産業上の利用可能性】
【００１２】操作補助プレートに、タッチパネルに描画されたボタンの説明を点字で記載することも可能である。音声ガイドと組み合わせることにより、タッチパネルディスプレイで提供される店舗案内版を弱視者、盲目者が利用することも可能である。
【符号の説明】
【００１４】１１、１１ａ、１１ｂ、１１ｃ、１１ｄ  …  操作補助プレート
１２  …  タッチパネルの操作部の位置に合わせた穴
１３  …  突起
２１  …  タッチパネル
２２  …  静電容量方式タッチパネル
２３ａ、２３ｂ  …  指
【図１】
2016134165.tif 000003
【図２】
2016134165.tif 000004
【図３】
2016134165.tif 000005
(57)【要約】【課題】積雪走行中、雪が少なくなって、雪道から、路面が、出てきた時に、従来の、スパイクゴムチェーンでは、繋ぎ目が４箇所位あり、繋ぎ目の、間隔が広いために、ハンドル等に強い振動と、騒音が、伝わってくる。【解決手段】大きな振動と騒音を、削減するには、繋ぎ目を無くすこと、それには、今までの、スパイクゴムチェーンを、リング状にする必要性が、あるので、今回、リング式のスパイクゴムチェーンを、考案を、いたしました。【選択図】図２
2016172542.tif 000002
【特許請求の範囲】
【請求項１】
従来の、スパイクゴムチェーンは、繋ぎ目が、あるために、道路上の積雪が、徐々に少なくなり、路面が出てきた時、又は、シャーベット状態に、なったとき、急に、ハンドル等に、大きな振動と騒音が、起きるため、その振動を、軽減するために、従来の、スパイクゴムチェーンを、リング状の、形にした、リング式スパイクゴムチェーンの、考案を提出いたします。
【発明の詳細な説明】
【技術分野】
【０００１】  本発明は、従来のスパイクゴムチェーンを、繋ぎ目を無くし、リング式にいたしました。
【背景技術】
【０００２】  リング式スパイクゴムチェーンを、タイヤに装着して、雪道を走行、徐々に雪が少なくなり、アスファルト及び、シャーベット状態に入っても、リング式（繋ぎ目が無い）なので、ハンドル等の振動及び騒音等が、削減ができるし、スパイクゴムチェーンを、外す時も、安心して安全な場所まで行き、外すことができる。
【発明が解決しようとする課題】
【０００３】  ハンドル及び、車体の振動と騒音を、軽減させること。
【発明が解決するための手段】
【０００４】  スパイクゴムチェーンは、繋ぎ目を無くし、一体物にする。
【発明の効果】
【０００５】  ハンドルに伝わる振動、及び、振動音も、軽減できる。
【図面の簡単な説明】
【０００６】
【図１】  リング式スパイクゴムチェーンを、横に描いた図。
【図２】  タイヤに、リング式スパイクゴムチェーンを、装着した、全体図と符号。
【符号の説明】
【０００７】１、    ネットゴムチェーン。
２、    スパイク。
３、    ネットゴムチェーンと、バンドとの結合具。
４、    バンド。
５、    バンドのロック金具。
【図１】
2016172542.tif 000003
【図２】
2016172542.tif 000004
(57)【要約】      （修正有）【課題】クリアポケットファイル本体がアルバム状になっており、中に透明ポケットが取り付けられたファイルにおいて、資料をファイルの透明ポケットに入れる際に、入れやすさを改善する。【解決手段】資料５を透明ポケット２に入れて保管するファイルの透明ポケットの構造において、書類を入れ込むための入れ口を正面に設け、入れ口３を斜めにした透明ポケット。【選択図】図３
2016172431.tif 000002
【特許請求の範囲】
【請求項１】
書類をポケットに入れて保管するファイルの透明ポケットの構造において、書類を入れ込むための入れ口が正面に斜めになっているポケット。
【発明の詳細な説明】
【技術分野】
【０００１】  本考案は、クリアポケットファイル本体がアルバム状になっており、中に透明ポケットが取り付けられたファイルにおいて、資料をファイルの透明ポケットに入れる際に、入れやすさを改善するための、透明ポケットにおける入れ口の構造に関するものである。
【背景技術】
【０００２】  ファイルの透明ポケットは、入れた資料が透明ポケット内でずれることや、資料が透明ポケットから簡単に出てしまうことを防ぐために、透明ポケットの大きさは、入れる目的の資料の大きさとほぼ等しくなっている。従来の透明ポケットは、ポケットの上部や横部など透明ポケットの端に入れ口がある構造になっていることから、入れ口の間口の大きさが資料の大きさとほぼ等しいため、資料を入れにくい構造となっていた。また、透明ポケットの材質は、ビニール系の薄くて柔らかい素材が用いられているため、入れ口が歪んで安定しないことも、資料をスムーズに入れにくいものとなっていた。
【発明の開示】
【発明が解決しようとしている課題】
【０００３】  そのために、次のような問題点があった。
（イ）透明ポケットの入れ口が小さく、資料をスムーズに入れにくい。
（ロ）資料を入れる際に透明ポケットの入れ口が歪みやすく、資料を入れにくい。
本考案は、これらの問題点を解決するためになされたものである。
【課題を解決するための手段】
【０００４】  資料を透明ポケットに入れて保管するファイルの透明ポケットの構造において、書類を入れ込むための入れ口を正面に設け、入れ口を斜めにすることで、資料をスムーズに入れることができる透明ポケット。
【発明の効果】
【０００５】（イ）透明ポケットの入れ口を正面に設けることで、資料を入れる際に、透明ポケットが歪むことによる入れにくさを解消し、スムーズに入れることができる。
（ロ）透明ポケットの入れ口を斜めにすることで、入れ口の間口を資料の大きさよりも大きくすることにより、従来の透明ポケットにおける、資料と入れ口の大きさが近しいことによる入れにくさを解消することができる。
【発明を実施するための最良の形態】
【０００６】  以下、本考案の実施の形態について説明する。
接続部分（１）において透明ポケットが束ねられているクリアポケットファイルにおいて、透明ポケット（２）の正面に、斜めの入れ口（３）がある形状を特徴とする。
これを使用するときは、透明ポケットに資料を入れる際に、正面から、斜めの入れ口に資料を水平に入れ込むようにして使用する。
【図面の簡単な説明】
【０００７】
【図１】  本考案の上面図
【図２】  本考案の正面図
【図３】  本考案の使用状態を示す正面図
【符号の説明】
【０００８】  １  透明ポケットを束ねているクリアポケットファイルの接続部分
２  透明ポケット
３  透明ポケットの正面における斜めの入れ口
４  手
５  資料
2016172431.tif 000003
【図３】
2016172431.tif 000004
【手続補正書】
【提出日】平成27年7月6日(2015.7.6)
【手続補正２】
【補正対象書類名】図面
【補正対象項目名】全図
【補正方法】変更
【補正の内容】
【図１】
2016172431.tif 000005
【図２】
2016172431.tif 000006
【図３】
2016172431.tif 000007
(57)【要約】【課題】ゲーブルトップ型紙容器に入った飲料を飲む際は、飲み口が無いためストローやコップを使用して飲んでいた。また、注ぎ口に直接口を付けて飲むことも可能ではあるが、その注ぎ口の形状からして極めて飲みにくかった。本発明は、注ぎ口を簡単に飲み口に変えることにより、ストローやコップを使用することなく直接飲むことが出来る方法を提供する。【解決手段】ゲーブルトップ型紙容器において、注ぎ口に事前に折り曲げ線1・２・３を付し（図面１）、開封後にその折り曲げ線１・２・３を指で折り曲げ平面を形成させることで（図面2）、注ぎ口を飲み口に変換させることが出来る。【選択図】図３
2017186021.tif 000002
【特許請求の範囲】
【請求項１】
２つの傾斜面が山型の形状から成る容器の一方面と他方面で形成した山型の貼り合わせ面から引出し開封口を形成する角柱状型容器であって、前記引出し部は一方面の傾斜面の一部に貼り合わせ面方向に形成されると共に一方面に略並行に形成される面を備えたことを特徴とした紙パック容器の開封口。
【請求項２】
前記面状の引出し部はその両側に折り曲げ線を形成したことを特徴とした紙パック容器の開封口。
【発明の詳細な説明】
【技術分野】
【０００１】
本発明は、注ぎ口を簡単に飲み口に変形させることで、直接口を付けて飲んでも非常に飲み易いゲーブルトップ型紙容器に関する。
【先行技術文献】
【特許文献】
【０００２】
【特許文献１】特開平８−１１３２３３
【発明の概要】
【発明が解決しようとする課題】
【０００３】
先行技術は直接容器に口を付けて飲むことが出来るという点で同一ではあるが、外部からの衝撃に元々弱い紙容器に切り込みを入れるというアイデアは容器の強度や耐久性を低下させる恐れが発生する。また、切り込みの入った飲み口の部分は指で折り返す必要があり衛生面でも不安があった。
【０００４】
ゲーブルトップ型紙容器に入った飲料を飲む際は、飲み口が無いためストローやコップを使用して飲んでいた。そのためコンビニエンスストア等の小売店で購入したときや、学校給食等で提供される牛乳にはほぼ自動的にストローが添付されてきており、そのストローの消費量は膨大となっていた。
尚、注ぎ口に直接口を付けて飲むことも可能ではあるが、その注ぎ口の尖った形状からして極めて飲みにくかった。
【０００５】
本発明は、注ぎ口を簡単に飲み口に変えることにより、ストローやコップを使用することなく直接飲むことが出来る方法を提供する。
そしてその結果として、今まで大量に使用されていたストローの数を減らすことになり、地球環境改善にも役立つ。
【課題を解決するための手段】
【０００６】
ゲーブルトップ型紙容器の包材製造の段階で注ぎ口に折り曲げ線を付けておき、開封後に引き出した注ぎ口の先端部分を指で押しながらその折り曲げ線を折ることで、尖った注ぎ口が平らな面になり直接口を付けても飲み易い形状にすることが出来る。
【発明の効果】
【０００７】
引き出した注ぎ口の折り曲げ線を折ることで尖った部分が平面に変形されるので、その平面に下唇を付けるようにして飲めば極めて安定した状態で飲料を飲むことが出来る。
【０００８】
更に、折り曲げ線を折るだけという簡単な構造で、紙容器自体が飲料を詰めるための器から、飲料を飲むためのコップとしての器へと変身させることが出来るので、コップやストローが無くても、公園などの外出先でも場所を問わず飲むことが出来る。その結果としてストローの消費も減りエコへとつながる。
【０００９】
果肉等の入った飲料はストローで飲むとストローに詰まってしまい不向きであったが、直接紙容器から飲むことでコップが手元になくてもコップに入れて飲むのと同じように果肉感を味わうことが出来る。
また、夏期など一気に水分補給をしたい時などはストローよりもはるかに大量に口中に注ぎ込むことが出来るので、のどの渇きを早く抑えることも出来るし、清涼感を楽しむことも出来る。
【図面の簡単な説明】
【００１０】
【図１】注ぎ口の先端部分４と、飲み口に変形させるために付けた折り曲げ線１・２・３を説明した図
【図２】注ぎ口の尖がった部分４を押しながら折り曲げ線１・２・３を折ることで飲み口に変形させる方法を説明した図。
【図３】注ぎ口に付けた折り曲げ線１・２・３を折り曲げて平面を作り、飲み口に変形させた後の正面図
【発明を実施するための形態】
【００１１】
この発明を実施するに当たり、図１のようにゲーブルトップ型紙容器の注ぎ口部分に折り曲げ線１・２・３を包材製造の段階で付けておく。尚、本発明は角柱型を例にして記載しているが円柱型や多角形型でも良い。
【００１２】
そして図２のように、商品を開封して注ぎ口を引き出し、尖った先端部分４を指で押しながら折り曲げ線１・２・３を折ることで尖った先端部分が無くなり平面のような形状にすることが出来る。
【００１３】
つまり、従来の注ぎ口はこの尖った形状からして直接口を付けて飲もうとするとこぼれてしまい不向きだったが、図３の正面図のように注ぎ口を平面のような状態に変形させることで下唇を付けることができ安定した状態で飲むことが出来る。
【産業上の利用可能性】
【００１４】
この発明を実施するに当たり必要なことは、ゲーブルトップ型紙容器に折り曲げ線を付けるだけなので、新たなる大掛かりな設備投資等は不要であり企業にとっては負担が少なく利用の可能性は高い。
【００１５】
また、従来のゲーブルトップ型の紙容器飲料は前述のように直接口を付けて飲むには不向きなため、飲料メーカーや小売店側としてはストロー添付が大前提であった。
しかし、この発明を実施したゲーブルトップ型紙容器であれば、今後はストロー添付無しを大前提にすることが出来るようになるため、大幅な経費カットが計れると同時にエコを意識した企業としてイメージアップも図れる。
【００１６】
尚、小売店以外での有効利用としては、学校給食や社員食堂等に提供される牛乳の紙パック容器が考えられ、ストローの使用を全てなくすことも期待できる。
【符号の説明】
【００１７】
１・・・注ぎ口を飲み口に変える際に必要な平面を形成するための折り曲げ線。
2・・・注ぎ口を飲み口に変える際に必要な平面を形成するための折り曲げ線。
3・・・注ぎ口を飲み口に変える際に必要な平面を形成するための折り曲げ線。
4・・・開封後に引き出して露出した注ぎ口の尖った先端部分。
【図１】
2017186021.tif 000003
【図２】
2017186021.tif 000004
【図３】
2017186021.tif 000005
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
ゲーブルトップ型容器であって、開封後に引き出した注ぎ口が、尖った先端部分が押し戻された飲み口としての平らな面を備えたことを特徴とした紙パック容器の開封口。
【請求項２】
前記平らな面はその両側に折り曲げ線を形成したことを特徴とした請求項1記載のゲーブルトップ型紙パック容器の開封口。
【手続補正２】
【補正対象書類名】明細書
【補正対象項目名】００１１
【補正方法】変更
【補正の内容】
【００１１】
この発明を実施するに当たり、図１のようにゲーブルトップ型紙容器の注ぎ口部分に折り曲げ線１・２・３を包材製造の段階で付けておく。
(57)【要約】      （修正有）【課題】後期高齢者は男女は問わず指先の衰えで従来の小さなボタンの脱着く困難を解決する創案。【手段】従来の小さなボタンに変え、ゴム紐（１）設けてゴム紐（１）の伸短で袖口作用を自動に果たし，袖口先端のハウス式ＬＥＤ入りホックボタン（２）の雄、雌の両方ボタンにＬＥＤを入れ交通安全を守り、形  色を美しく、やや大きめに脱着は従来の小さなボタン式よりも作用簡単、早く便利、美的を創案。【選択図】図１
2017186711.tif 000002
【特許請求の範囲】
【請求項１】
従来の小さなボタン操作が老齢者には困難です、困難、解消案をゴム紐（１）を設けてゴムの伸，短  特性を利用して、袖口に手首を挿入して自動に閉まり暑い時の腕まくりもゴム紐（１）のゴムの特性、作用で容易ですので、ゴム紐（１）の作用。
【請求項２】
袖口の先端の従来の小さなボタンの変わりに設けた、ハウス式ＬＥＤ入りホックボタン（２）の夜間点滅で交通安全を守り、ホックボタンも簡単操作ですので、ハウス式ＬＥＤ入りホックボタン（２）の機能。
【発明の詳細な説明】
【技術分野】
【０００１】本案は指先の弱った老人にボタンをゴム紐に変えて楽に挿着の袖口の創案。
【背景技術】
【０００２】従来のマイナス型の穴に丸い小型ボタンをハメル、困難を除く為に  ゴム紐（１）を設けて自動的に簡単に挿入着が出来る様に、尚、袖口の先端の、ハウス式ＬＥＤ入りホックボタン（２）を設けて交通安全を守り、美しく簡単、便利を創案。
【先行技術文献】
【０００３】  実開  平６−２５３０２  公開
【発明の概要】
【発明が解決しようとする課題】
【０００４】老齢者、特に後期高齢者は指先の衰えで、小型ボタンをマイナス型の穴え、納める困難を解消の為、ゴム紐（１）を設け、袖口の先端に  ハウス式ＬＥＤ入りホックボタン（２）を設けて交通安全を守り美しく簡単、便利に袖口を締める創案。
【課題を解決するための手段】
【０００５】袖口の小さなボタンをゴム紐（１）に変え設けて、小さなボタン掛け、困難を解消し、袖口先端の締め口も小さなボタンをカウス式ＬＥＤ入りホックボタン（２）に変え設けて交通安全を守り、美しく、簡単、便利を創案。
【発明の効果】
【０００６】小さなボタンをゴム紐（１）に変え、袖口先端に  ハウス式ＬＥＤ入りホックボタン（２）を、設けて交通安全を守り、便利、美しく袖口を締める創案。
【図面の簡単な説明】
【０００７】
【図１】袖口の斜視図
【発明を実施するための形態】
【０００８】本案は袖口のボタンをゴム紐（１）に変えて楽に早く挿入着が出来、袖口の先端のハウス式ＬＥＤ入りホックボタン（２）を設けて交通安全を守り楽に美しく装着の創案。
【符号の説明】
【０００９】（１）ゴム紐    （２）ハウス式ＬＥＤ入りホックボタン    （３）ボタン電池
【図１】
2017186711.tif 000003
(57)【要約】      （修正有）【課題】本発明は、鉄筋のセグメント内部構造材を製作しやすいように、治具に車輪・突き当てを付け、主筋受けピンが上向きに動く可動式治具を提供する。【解決手段】治具の下部・両端付近に自在車輪（１）を付け、片面に突き当て（２）を設け、製品（籠）が完成後、治具から取り外しやすいように、主筋受けピン（３）が上向きに動くようにしたことを特徴とする。【選択図】図１
2017186863.tif 000002
【特許請求の範囲】
【請求項１】
（イ）治具の下部・両端付近に自在車輪（１）を付ける。
（ロ）治具の片面に突き当て（２）を付ける。
（ハ）主筋受けピン（３）を上向きに可動式にする。
以上の構成からなる可動式治具。
【発明の詳細な説明】
【技術分野】
【０００１】本発明は、鉄筋のセグメント内部構造材を制作しやすいように、治具に車輪・突き当てを付け、主筋受けピンが上向きに動くよう、可動式にした治具に関するものである。
【背景技術】
【０００２】従来、鉄筋のセグメント内部構造材を制作するために、車輪や突き当ては無く、主筋受けピンも動かない固定式の治具であった。
【発明の概要】
【発明が解決しようとする課題】
【０００３】  そのために次のような問題点があった。
（イ）治具そのものが固定されており、治具の端に突き当ても付いていなかったので、主筋の材料架台との微妙な方向が合わない状態で、重い鉄筋の方を動かして調整しながら、治具にはめこまなければならなかった。
（ロ）重い鉄筋を動かして調整して、治具に入れ込むには、多大な労力と時間を費やしていた。
（ハ）治具の主筋受けピンも固定されていたので、完成後も製品（籠）の取り出しが困難であった。
本発明は、これらの問題点を解決するためになされたものである。
【課題を解決するための手段】
【０００４】治具の下部に自在車輪（１）を付け、片面に突き当て（２）を設け、完成した製品（籠）を取り出すときに取り出ししやすいように、主筋受けピンを上向きにできるよう、主筋受けピンを可動式（３）にした。本発明は、以上の構成よりなる可動式治具である。
【発明の効果】
【０００５】  治具に自在車輪（１）を付けたことにより、治具が前後に動き、主筋置き架台との方向が合わせやすくなり、主筋が入れ込みやすくなり、又、治具の片面に突き当て（２）を設けたことにより、主筋の出の揃いを容易にすることができた。製品（籠）が完成した後も、主筋受けピン（３）が上向きに動くことによって、取り出しが容易になった。
重い鉄筋の方を何度も動かし微調整することなく、治具にはめ込むことができ、完成した製品の取り出しも容易になり、時間と労力を大幅に節約することができた。
【発明を実施するための最良の形態】
【０００６】以下、本発明の実施の形態について説明する。
▲１▼原寸場において、製作するセグメントの躯体、鉄筋の位置を原寸の大きさに描く。
▲２▼描いた大きさに合わせて、角鋼（スターラップ止め）をＲの形に曲げる。
▲３▼Ｒの形に曲げた角鋼にスターラップの入る位置をマーキングする。
▲４▼Ｒの形に曲げた角鋼を、補強柱（４）、底腕木（５）、土台（６）の順に溶接して取り付け、固定する。
▲５▼ピン取付柱（７）に主筋受けピン（３）を主筋のピッチに溶接し取付ける。
ピンを二重にする事により、丁番の作用をして上に可動する様にする。
▲６▼▲３▼の位置のＲの形に曲げた角鋼にスターラップを挟み込む為の角ピンを両面に溶接して取付ける。
▲７▼主筋の出が揃う様に、アングルで枠に組み、突き当て（２）を設ける。
▲８▼治具に直径１５０ｍｍ程度の自在車輪（１）を二列に取付け、左右に前後可動する様にする。
本発明は以上のような構造である。
本発明を使用するときは、材料の主筋とスターラップを、治具に対して適当な位置に置き、主筋が入れ込みやすくなる様に、車輪を動かして、治具の方向を変えておく。付き当ての位置もセットしておく。
はめ込み予定の鉄筋の近くまで治具を移動させ、
▲１▼治具に、スターラップを交互に上下反対にセットする。
▲２▼主筋受けピン（３）の上に、外面の主筋をピッチ通りに入れ込み、必要個所を溶接する。
▲３▼内面の主筋も入れ込み、同様に必要個所を溶接する。
▲４▼主筋を溶接後、幅止め等の小物をすべて入れて溶接する。
▲５▼溶接終了後、取付物、溶接個所等の確認をする。
▲６▼確認後、製品（籠）をクレーンで吊り上げると、主筋受けピン（３）が少し上を向き、容易に取り出しができる。
自在車輪（１）を付けたことによって治具自体を動かすことができ、片面に突き当て（２）を付けたことで、重い主筋を動かして微調整する手間が省けた。主筋受けピン（３）を上向きに動くようにしたので、製品完成後の取り外しも容易になったため、時間と労力を大幅に節約することができた。
【図面の簡単な説明】
【０００７】
【図１】  本発明の姿図である。
【図２】  本発明の立面図である。
【図３】  本発明の平面図である。
【図４】  本発明の断面図である。
【符号の説明】
【０００８】  １  自在車輪
２  突き当て
３  主筋受けピン
４  補強柱
５  底腕木
６  土台
７  ピン取付柱
【図１】
2017186863.tif 000003
【図２】
2017186863.tif 000004
【図３】
2017186863.tif 000005
【図４】
2017186863.tif 000006
(57)【要約】  【課題】  始動頻度の高い使用環境の下でも安定したピニオン移送距離を保持することが可能なスタータモータを提供する。【解決手段】  本発明に係るスタータモータは、ピニオンギアを有するピニオンと、前記ピニオンを支持するピニオンシャフトと、前記ピニオンシャフトに接触するクリップと、を備え、前記クリップは、前記ピニオンシャフトとの接触する部分に第１固体潤滑剤膜を有するスタータモータ固体潤滑剤皮膜を形成したクリップを、ピニオンシャフトの溝に装着し、ピニオンストッパを装着する。【選択図】  図１
2017186991.tif 000002
【特許請求の範囲】
【請求項１】
ピニオンギアを有するピニオンと、
前記ピニオンを支持するピニオンシャフトと、
前記ピニオンシャフトに接触するクリップと、を備え、
前記クリップは、前記ピニオンシャフトとの接触する部分に第１固体潤滑剤膜を有するスタータモータ。
【請求項２】
請求項１に記載されたスタータモータであって、
前記ピニオンギアと動きを規制するとともに前記クリップに嵌め合わされるピニオンストッパを備え、
前記クリップは、前記ピニオンストッパとの接触する部分に第２固体潤滑剤膜を有するスタータモータ。
【請求項３】
請求項２に記載されたスタータモータであって、
前記ピニオンストッパは、前記クリップを挟んで前記ピニオンシャフトと対向する部分を有するスタータモータ。
【発明の詳細な説明】
【技術分野】
【０００１】
本発明は、内燃機関始動用として用いられるスタータモータに関するものである。
【背景技術】
【０００２】
スタータモータは、アーマチャーに通電し回転力を発生すると共に、ピニオンをリングギアに移送し噛合わせることで内燃機関を始動させる。
【０００３】
ここで、ピニオンを移送する際の位置決めとして、ピニオンシャフトの外周に溝を設け、溝の付近にピニオンストッパを設けるとともに、ピニオンシャフトの溝とピニオンストッパの内周に円環状のクリップを勘合し、ピニオンがピニオンストッパに接触することで位置決めを行う構造が開示されている。（特許文献1参照）
【先行技術文献】
【特許文献】
【０００４】
【特許文献１】特開2012-122358号公報
【発明の概要】
【発明が解決しようとする課題】
【０００５】
近年、自動車の燃料消費低減として信号待ち等にエンジンを停止するアイドルストップシステムが注目されているが、エンジンの始動頻度増加に伴いスタータモータの要求動作回数が増加する結果、前記従来技術のピニオン位置決め構造では、接触頻度の増加によりクリップ及びピニオンシャフトの溝が摩耗しピニオンの移送距離が保持できない課題があった。同部位の摩耗抑制としてはグリースを塗布する手法が一般的であったが、回転体上に付着した状態となるため飛散しやすく、繰り返し動作が増加することで油膜切れを生じやすくなる課題があった。
【０００６】
本発明の目的は、クリップの摩耗を抑制しピニオンの移送距離を安定保持可能な、アイドルストップシステムに好適なスタータモータを提供することにある。
【課題を解決するための手段】
【０００７】
上記課題を解決するため、本発明に係るスタータモータは、ピニオンギアを有するピニオンと、前記ピニオンを支持するピニオンシャフトと、前記ピニオンシャフトに接触するクリップと、を備え、前記クリップは、前記ピニオンシャフトとの接触する部分に第１固体潤滑剤膜を有するスタータモータ固体潤滑剤皮膜を形成したクリップを、ピニオンシャフトの溝に装着し、ピニオンストッパを装着する。
【発明の効果】
【０００８】
本発明によれば、接触部位に固体潤滑剤皮膜を形成することにより、グリース潤滑剤に見られる飛散が解消され潤滑状態を安定維持することが可能となり、繰り返し動作の増加に耐えるピニオン位置決め構造を得ることができる。
【０００９】
さらにクリップに固体潤滑剤を塗布することにより、マスキング等の前処理を行うことなく作業が可能で、数10ミクロンの均一な固体潤滑剤の膜厚が得られるため、周辺部品の構成を変更することなく対応することが可能となる。
【図面の簡単な説明】
【００１０】
【図１】本実施形態に係るスタータモータ１の一部が断面で示された側面図である。
【図２】図１の点線部Ａに囲まれたピニオン体３の拡大斜視図である。
【図３】図１の点線部Ｂに囲まれたクリップ８近傍の拡大斜視図である。
【発明を実施するための形態】
【００１１】
以下、図面を用いて本発明の実施例を説明する。
【実施例１】
【００１２】
図１は、本実施形態に係るスタータモータ１の一部が断面で示された側面図である。図２は、図１の点線部Ａに囲まれたピニオン体３の拡大斜視図である。図３は、図１の点線部Ｂに囲まれたクリップ８近傍の拡大斜視図である。
【００１３】
スタータモータ１は、マグスイッチ２と、ピニオン体３と、モータ４と、から構成される。バッテリ（不図示）からマグスイッチ２の内部に収納された励磁コイル（不図示）に電流が流れると、プランジャ５が吸引される。プランジャ５が吸引されることにより、ピニオン体３がシフトレバー６を介してエンジン（不図示）に装着されたリングギヤ（不図示）に向かって移動しピニオン体３がリングギヤに噛み合わされる。
【００１４】
ピニオン体３は、ピニオンシャフト７の軸上を移動可能に支持される。ピニオンシャフト７の外周には溝７ａが設けられる。この溝７ａにクリップ８が装着される。クリップ８外周にピニオンストッパ９が固定される。ピニオン体３は、ピニオンストッパ９の端面に接触することで移動量が規制される。
【００１５】
クリップ８は円環状の形状を呈するとともに、外周に固体潤滑膜１０が均一に塗布され、ピニオンシャフト７の溝７ａに装着される。
【００１６】
これらの構成により、ピニオンシャフト７の回転によって潤滑剤が飛散することなく保持が可能となり、アイドルストップ動作を含めた繰り返し動作に対応したスタータモータ寿命を確保することが可能となる。
【００１７】
また図３に示されるように、固体潤滑膜１０は、ピニオンシャフト７や溝７ａとの接触する部分に設けられる第１固体潤滑剤膜１０ａと、ピニオンストッパ９との接触する部分に設けられる第２固体潤滑剤膜１０ｂと、により構成してもよい。
【００１８】
またピニオンストッパ９は、クリップ８を挟んでピニオンシャフト７と対向する部分を有するように形成され、固体潤滑膜１０を備えたクリップ８の抜け防止機構としても機能する。
【符号の説明】
【００１９】
１…スタータモータ、２…マグスイッチ、３…ピニオン体、４…モータ、５…プランジャ、６…シフトレバー、７…ピニオンシャフト、７ａ…溝、８…クリップ、９…ピニオンストッパ、１０…固体潤滑膜、１０ａ…第１固体潤滑剤膜、１０ｂ…第２固体潤滑剤膜
【図１】
2017186991.tif 000003
【図２】
2017186991.tif 000004
【図３】
2017186991.tif 000005
(57)【要約】【課題】予備のゴミ袋が収納でき、ゴミを出した後、新たなゴミ袋をその場で補充することができる、予備袋を入れるための予備袋収納ポケット付きゴミ箱を提供する。【解決手段】予備のゴミ袋を、買ってきてそのまま収納用ポケットに収納できる。また、ゴミがたまったゴミ袋を引き出した後、収納用ポケットに収納したまま予備のゴミ袋を一枚ずつ取り出すことができ、その場で新たなゴミ袋を補充できるので、従来のように、違う場所に補充用のゴミ袋を取りに行かなくてはならないという手間が省ける。また、予備のゴミ袋は、ゴミ箱と使用中のゴミ袋の間に収納されるので、特に屋外用の蓋付きのゴミ箱には最適である。【選択図】図１
2017186107.tif 000002
【特許請求の範囲】
【請求項１】
ゴミ箱の内側に、補充用のゴミ袋を収納するためのポケットを備えた、予備袋収納ポケット付きゴミ箱。
【発明の詳細な説明】
【技術分野】
【０００１】
本発明は、予備のゴミ袋を収納できるポケットと、ゴミ箱本体が一体になったゴミ箱に関するものである。
【背景技術】
【０００２】
通常、ゴミ箱の中にゴミ袋を広げてゴミを入れ、ゴミ袋にゴミが溜まるとゴミ箱から引き出し、また新たにゴミ袋を補充する。
【０００３】
特に、屋外で使われているゴミ箱の傍に補充用のゴミ袋がない場合が多く、違う場所へ取りに行かなくてはならなく不便なものであった。
【先行技術文献】
【特許文献】
【０００４】
【特許文献１】実開平０１−０８８６０２
【特許文献２】特開２００３−０９５４０１
【特許文献３】実開平０７−０３８００６
【特許文献４】実登３１２９６９０
【発明の概要】
【発明が解決しようとする課題】
【０００５】
解決しようとする問題点は、従来のものは、雨などの侵入があり屋外用には不向きなものである。また、予備のゴミ袋を広げて固定具で固定をする準備がいるものは、手間がかかるものであった。
【課題を解決するための手段】
【０００６】
本発明は、予備のゴミ袋を買ってきてそのまま収納でき手間がかからない。また、ゴミ箱の中に収納するので、雨風にさらされることもなく屋外用として使用できる。
【発明の効果】
【０００７】
本発明の予備袋収納ポケット付きゴミ箱は、予備のゴミ袋を買ってきてそのまま収納でき、収納したまま一枚ずつ取り出すことができるので、ゴミがたまったゴミ袋を引き出した後その場で新たにゴミ袋を補充できるので、従来のように違う場所に補充用のゴミ袋を取りに行かなくてはならないという煩わしさがなくなる。また、予備のゴミ袋はゴミ箱と使用中のゴミ袋の間に収納されるので、屋外用の蓋付きのゴミ箱には最適である。
【図面の簡単な説明】
【０００８】
【図１】図１は予備袋収納用ポケット２を備えた角型の屋外用大型ゴミ箱１と、予備袋３のイメージである。
【図２】図２は予備袋収納用ポケット２に、予備袋３を入れた説明図である。
【図３】図３は予備袋収納用ポケット２を備えた、角型の屋外用大型ゴミ箱１の正面からと、横方向からの斜影図である。（実施例１）
【図４】図４は、内側に張り出した予備袋収納用ポケット２と、内面をフラットにし、外側に張り出した予備袋収納用ポケット２‘の説明図である。(実施例１)
【図５】図５は、予備袋収納用ポケット２を備えた丸型の大型ゴミ箱１’と、予備袋収納用ポケット２を備えた角型の大型ゴミ箱１のイメージである。（実施例１）
【発明を実施するための形態】
【０００９】
ゴミ箱の内側に、予備のゴミ袋を収納するためのポケットを備える。
【実施例１】
【００１０】
図１のように、収納用ポケット２とゴミ箱１を一体に形成する。
【００１１】
素材は、従来のように、プラスティック、樹脂、金属など多岐にわたって形成できる。
【００１２】
これらの素材を組み合わせ、複合で形成できる。
【００１３】
使用するゴミ袋を入れる際や、引き出す際に引っ掛けてしまって破れないように、設計の段階で収納用ポケットの内側に張り出した部分が丸みを帯びた形にすることと、製造によるバリが出ないようにしないといけない。
【００１４】
丸型や角型など様々な形のゴミ箱に応用できる。
【符号の説明】
【００１５】
１    角型屋外用ゴミ箱本体
１‘   丸型屋外用ゴミ箱本体
２    内に張り出した形の予備袋収納用ポケット
２’   外に張り出した形の予備袋収納用ポケット
３    予備袋
【図１】
2017186107.tif 000003
【図２】
2017186107.tif 000004
【図３】
2017186107.tif 000005
【図４】
2017186107.tif 000006
【図５】
2017186107.tif 000007
(57)【要約】【課題】  高速道路・自動車専用道路等の運転において、合流するときに加速する変速車線が短く狭い場所では安全で円滑な合流が困難である。【解決手段】  合流する方向の壁などに表示装置を設置して、合流する相手方の車線の車両等を撮影してリアルタイムで表示する。あたかも変速車線が広く長くなったように、安全に円滑に合流できる。【選択図】図１
2017079047.tif 000002
【特許請求の範囲】
【請求項１】
高速道路、自動車専用道路等における車両の合流を安全に円滑に行うために合流する相手方の車線の車両等を表示する表示装置と、表示装置に出力する画像等を撮影する撮影装置。
【発明の詳細な説明】
【技術分野】
【０００１】  本発明は、高速道路・自動車専用道路等において、合流を安全に円滑に行うために、合流する相手方の車両等を表示する表示装置である。
【発明の概要】
【発明が解決しようとする課題】
【０００２】  高速道路・自動車専用道路などのインターチェンジ・入路などで合流するとき、自動車を加速させる変速車線が広く長ければ、安全に円滑に合流できる。しかし、変速車線が狭いか短い場合、安全な円滑な合流は難しい。
【課題を解決するための手段】
【０００３】  本発明は、合流する相手方の車線を通行する車両等を撮影して、撮影した画像等を合流前に表示する。表示は合流予定の車線があたか自走している車線の隣をリアルタイムで走っているような表示方法とする。
【発明の効果】
【０００４】  本発明により、合流する前に合流する相手方の車線の車両等を撮影して表示することにより、合流する相手方の交通の流れ、つまり、合流できる車両と車両の間が明確になる。結果、変速車線が長いときのように安全な円滑な合流が可能となる。
【図面の簡単な説明】
【０００５】
【図１】  合流支援表示装置の実施方法を示した説明図である。合流する相手方車線を合流前に壁面等に設置された表示装置に表示する。撮影装置Ａで撮影した画像等は表示装置Ａに表示、撮影装置Ｂで撮影した画像等は表示装置Ｂに表示する。
【図１】
2017079047.tif 000003